(57)【特許請求の範囲】
【請求項１】
ユーザが、発呼中にクラウドカードを含むことを選択したか否かを判断するステップと、
ユーザが、発呼中にクラウドカードを含むことを選択した場合、指示メッセージをクラウドサーバに送信するステップと
を含み、
前記指示メッセージは、保存された前記ユーザのクラウドカード情報を前記発呼の受信者にプッシュするように前記クラウドサーバに指示することにより、前記発呼の受信者の着信インターフェースに前記クラウドカード情報を表示するためのものであり、
ユーザが、発呼中にクラウドカードを含むことを選択したか否かを判断するステップは、
発呼中にクラウドカードを含むように設定するための設定項目が含まれている発信インターフェースに対してユーザが入力した操作命令を受信するステップと、
ユーザからの前記発信インターフェースにおける前記設定項目に対する選択命令を受信した場合、ユーザが、発呼中にクラウドカードを含むことを選択したと決定するステップと
を含むことを特徴とするクラウドカードの送信方法。
【請求項２】
ユーザが、発呼中にクラウドカードを含むことを選択したか否かを判断するステップの前に、
ユーザが予め設定されたクラウドカードの設定インターフェースにおいて設定したクラウドカード情報を取得するステップと、
取得した前記クラウドカード情報を前記クラウドサーバにアップロードするステップと
をさらに含むことを特徴とする請求項１に記載のクラウドカードの送信方法。
【請求項３】
電話呼び出しを受信する際に、前記クラウドサーバによりプッシュされる発呼者のクラウドカード情報を受信するステップと、
受信された前記クラウドカード情報を着信インターフェースに表示するステップと
をさらに含むことを特徴とする請求項１に記載のクラウドカードの送信方法。
【請求項４】
ユーザが着信インターフェースに対して入力した操作命令を受信するステップと、
ユーザからの前記着信インターフェースに表示された前記クラウドカード情報に対する保存命令を受信した場合、前記着信インターフェースに表示された前記クラウドカード情報を自装置アドレス帳に保存するステップと
をさらに含むことを特徴とする請求項１に記載のクラウドカードの送信方法。
【請求項５】
ユーザが、発呼中にクラウドカードを含むことを選択したか否かを判断するための判断モジュールと、
ユーザが、発呼中にクラウドカードを含むことを選択した場合、指示メッセージをクラウドサーバに送信するための送信モジュールと
を備え、
前記指示メッセージは、保存された前記ユーザのクラウドカード情報を前記発呼の受信者にプッシュするように前記クラウドサーバに指示することにより、前記発呼の受信者の着信インターフェースに前記クラウドカード情報を表示するためのものであり、
前記判断モジュールは、
発呼中にクラウドカードを含むように設定するための設定項目が含まれている発信インターフェースに対してユーザが入力した操作命令を受信するための受信サブモジュールと、
ユーザからの前記発信インターフェースにおける前記設定項目に対する選択命令を受信した場合、ユーザが、発呼中にクラウドカードを含むことを選択したと決定するための決定サブモジュールと
を備えることを特徴とするクラウドカードの送信装置。
【請求項６】
ユーザが、発呼中にクラウドカードを含むことを選択したか否かを判断する前に、ユーザが予め設定されたクラウドカードの設定インターフェースにおいて設定したクラウドカード情報を取得するための取得モジュールと、
取得した前記クラウドカード情報を前記クラウドサーバにアップロードするためのアップロードモジュールと
をさらに備えることを特徴とする請求項５に記載のクラウドカードの送信装置。
【請求項７】
電話呼び出しを受信する際に、前記クラウドサーバによりプッシュされる発呼者のクラウドカード情報を受信するための第１受信モジュールと、
受信された前記クラウドカード情報を着信インターフェースに表示するための表示モジュールと
をさらに備えることを特徴とする請求項５に記載のクラウドカードの送信装置。
【請求項８】
ユーザが着信インターフェースに対して入力した操作命令を受信するための第２受信モジュールと、
ユーザからの前記着信インターフェースに表示された前記クラウドカード情報に対する保存命令を受信した場合、前記着信インターフェースに表示された前記クラウドカード情報を自装置アドレス帳に保存するための保存モジュールと
をさらに備えることを特徴とする請求項５に記載のクラウドカードの送信装置。
【請求項９】
プロセッサと、
前記プロセッサにより実行可能なインストラクションを記憶するためのメモリと
を備え、
前記プロセッサは、
ユーザが、発呼中にクラウドカードを含むことを選択したか否かを判断し、
ユーザが、発呼中にクラウドカードを含むことを選択した場合、クラウドサーバに指示メッセージを送信する
ように構成され、
当該指示メッセージは、保存された前記ユーザのクラウドカード情報を前記発呼の受信者にプッシュするように前記クラウドサーバに指示することにより、前記発呼の受信者の着信インターフェースに前記クラウドカード情報を表示するためのものであり、
ユーザが、発呼中にクラウドカードを含むことを選択したか否かを判断することは、
発呼中にクラウドカードを含むように設定するための設定項目が含まれている発信インターフェースに対してユーザが入力した操作命令を受信することと、
ユーザからの前記発信インターフェースにおける前記設定項目に対する選択命令を受信した場合、ユーザが、発呼中にクラウドカードを含むことを選択したと決定することと
を含むことを特徴とするクラウドカードの送信装置。
【請求項１０】
プロセッサに実行されることにより、請求項１から請求項４のいずれか１項に記載のクラウドカードの送信方法を実現することを特徴とするプログラム。
【請求項１１】
請求項１０に記載のプログラムが記録された記録媒体。
【発明の詳細な説明】
【技術分野】
【０００１】
本発明は、通信分野に関し、特にクラウドカードの送信方法、装置、プログラム及び記録媒体に関する。
【０００２】
本願は、出願番号がＣＮ２０１５１０２９０６７８．２であって、出願日が２０１５年０５月２９日である中国特許出願に基づき優先権を主張し、当該中国特許出願のすべての内容を本願に援用する。
【背景技術】
【０００３】
伝統的な電話通信の過程において、ユーザの受信した電話番号が自装置アドレス帳に保存されていない場合、当該コールはストレンジャー・コールになる。ストレンジャー・コールについて、ユーザは、当該ストレンジャー・コールの詳しい情報を得ることができない。従って、ストレンジャー・コールを如何に識別するかは、ユーザの通話体験を向上させることに重大な意義がある。
【発明の概要】
【０００４】
本発明は、従来技術に存在する上記のような問題を解決するためのクラウドカードの送信方法、装置、プログラム及び記録媒体を提供する。
【０００５】
本発明の実施例に係る第１様態によれば、
ユーザが、発呼中にクラウドカードを含むことを選択したか否かを判断するステップと、
ユーザが、発呼中にクラウドカードを含むことを選択した場合、指示メッセージをクラウドサーバに送信するステップと
を含み、
前記指示メッセージは、保存された前記ユーザのクラウドカード情報を前記発呼の受信者にプッシュするように前記クラウドサーバに指示することにより、前記発呼の受信者の着信インターフェースに前記クラウドカード情報を表示するためのものである
クラウドカードの送信方法を提供する。
【０００６】
ユーザが、発呼中にクラウドカードを含むことを選択したか否かを判断するステップの前に、前記方法は、
ユーザが予め設定されたクラウドカードの設定インターフェースにおいて設定したクラウドカード情報を取得するステップと、
取得した前記クラウドカード情報を前記クラウドサーバにアップロードするステップと
をさらに含んでもよい。
【０００７】
ユーザが、発呼中にクラウドカードを含むことを選択したか否かを判断するステップは、
発呼中にクラウドカードを含むように設定するための設定項目が含まれている発信インターフェースに対してユーザが入力した操作命令を受信するステップと、
ユーザからの前記発信インターフェースにおける前記設定項目に対する選択命令を受信した場合、ユーザが、発呼中にクラウドカードを含むことを選択したと決定するステップと
を含んでもよい。
【０００８】
前記方法は、
電話呼び出しを受信する際に、前記クラウドサーバによりプッシュされる発呼者のクラウドカード情報を受信するステップと、
受信された前記クラウドカード情報を着信インターフェースに表示するステップと
をさらに含んでもよい。
【０００９】
前記方法は、
ユーザが着信インターフェースに対して入力した操作命令を受信するステップと、
ユーザからの前記着信インターフェースに表示された前記クラウドカード情報に対する保存命令を受信した場合、前記着信インターフェースに表示された前記クラウドカード情報を自装置アドレス帳に保存するステップと
をさらに含んでもよい。
【００１０】
本発明の実施例に係る第２様態によれば、
端末が発呼の際に送信する指示メッセージであって、保存された発呼者のクラウドカード情報を前記発呼の受信者にプッシュするようにクラウドサーバに指示するための指示メッセージを受信するステップと、
前記指示メッセージに基づいて、保存された前記発呼者のクラウドカード情報を前記発呼の受信者にプッシュして、前記発呼の受信者の着信インターフェースに前記クラウドカード情報を表示するようにするステップと
を含むクラウドカードの送信方法を提供する。
【００１１】
前記方法は、端末が発呼の際に送信する指示メッセージを受信するステップの前に、
前記端末によりアップロードされる前記発呼者のクラウドカード情報を受信するステップと、
受信された前記発呼者のクラウドカード情報を自装置に保存するとともに、前記クラウドカード情報と前記発呼者との対応関係を保存するステップと
をさらに含んでもよい。
【００１２】
本発明の実施例に係る第３様態によれば、
ユーザが、発呼中にクラウドカードを含むことを選択したか否かを判断するための判断モジュールと、
ユーザが、発呼中にクラウドカードを含むことを選択した場合、指示メッセージをクラウドサーバに送信するための送信モジュールと
を備え、
前記指示メッセージは、保存された前記ユーザのクラウドカード情報を前記発呼の受信者にプッシュするように前記クラウドサーバに指示することにより、前記発呼の受信者の着信インターフェースに前記クラウドカード情報を表示するためのものである
クラウドカードの送信装置を提供する。
【００１３】
前記装置は、
ユーザが、発呼中にクラウドカードを含むことを選択したか否かを判断する前に、ユーザが予め設定されたクラウドカードの設定インターフェースにおいて設定したクラウドカード情報を取得するための取得モジュールと、
取得した前記クラウドカード情報を前記クラウドサーバにアップロードするためのアップロードモジュールと、
をさらに備えてもよい。
【００１４】
前記判断モジュールは、
発呼中にクラウドカードを含むように設定するための設定項目が含まれている発信インターフェースに対してユーザが入力した操作命令を受信するための受信サブモジュールと、
ユーザからの前記発信インターフェースにおける前記設定項目に対する選択命令を受信した場合、ユーザが、発呼中にクラウドカードを含むことを選択したと決定するための決定サブモジュールと
を備えてもよい。
【００１５】
前記装置は、
電話呼び出しを受信する際に、前記クラウドサーバによりプッシュされる発呼者のクラウドカード情報を受信するための第１受信モジュールと、
受信された前記クラウドカード情報を着信インターフェースに表示するための表示モジュールと
をさらに備えてもよい。
【００１６】
前記装置は、
ユーザが着信インターフェースに対して入力した操作命令を受信するための第２受信モジュールと、
ユーザからの前記着信インターフェースに表示された前記クラウドカード情報に対する保存命令を受信した場合、前記着信インターフェースに表示された前記クラウドカード情報を自装置アドレス帳に保存するための保存モジュールと、
をさらに備えてもよい。
【００１７】
本発明の実施例に係る第４様態によれば、
端末が発呼の際に送信した指示メッセージであって、保存された発呼者のクラウドカード情報を前記発呼の受信者にプッシュするようにクラウドサーバに指示するための指示メッセージを受信する第３受信モジュールと、
前記指示メッセージに基づいて、保存された前記発呼者のクラウドカード情報を前記発呼の受信者にプッシュして、前記発呼の受信者の着信インターフェースに前記クラウドカード情報を表示するためのプッシュモジュールと
を備えるクラウドカードの送信装置を提供する。
【００１８】
前記装置は、
端末が発呼の際に送信する指示メッセージを受信する前に、前記端末によりアップロードされる前記発呼者のクラウドカード情報を受信するための第４受信モジュールと、
受信された前記発呼者のクラウドカード情報を自装置に保存するとともに、前記クラウドカード情報と前記発呼者との対応関係を保存するための記憶モジュールと
をさらに備えてもよい。
【００１９】
本発明の実施例に係る第５様態によれば、
プロセッサと、
前記プロセッサにより実行可能なインストラクションを記憶するためのメモリと
を備え、
前記プロセッサは、
ユーザが、発呼中にクラウドカードを含むことを選択したか否かを判断し、
ユーザが、発呼中にクラウドカードを含むことを選択した場合、クラウドサーバに指示メッセージを送信する
ように構成され、
当該指示メッセージは、保存された前記ユーザのクラウドカード情報を前記発呼の受信者にプッシュするように前記クラウドサーバに指示することにより、前記発呼の受信者の着信インターフェースに前記クラウドカード情報を表示するためのものである
クラウドカードの送信装置を提供する。
【００２０】
本発明の実施例に係る第６様態によれば、
プロセッサと、
前記プロセッサにより実行可能なインストラクションを記憶するためのメモリと
を備え、
前記プロセッサは、
端末が発呼の際に送信した指示メッセージであって、保存された発呼者のクラウドカード情報を前記発呼の受信者にプッシュするようにクラウドサーバに指示するための指示メッセージを受信し、
前記指示メッセージに基づいて、保存された前記発呼者のクラウドカード情報を前記発呼の受信者にプッシュして、前記発呼の受信者の着信インターフェースに前記クラウドカード情報を表示する
ように構成されるクラウドカードの送信装置を提供する。
本発明の実施例に係る第７態様によれば、
プロセッサに実行されることにより、第1態様又は第２態様による前記クラウドカードの送信方法を実現するプログラムを提供する。
本発明の実施例に係る第８態様によれば、
第７態様による前記プログラムが記録されている記録媒体を提供する。
【００２１】
本発明の実施例により提供された技術的解決策によれば、以下のような有益な効果が得られる。
【００２２】
本発明の上述の実施例によれば、ユーザが、発呼中にクラウドカードを含むことを選択したか否かを判断することにより、ユーザが、発呼中にクラウドカードを含むことを選択した場合、保存された当該ユーザのクラウドカード情報を今回の前記発呼の受信者にプッシュするようクラウドサーバに通知し、前記発呼の受信者は、クラウドサーバによりプッシュされた当該ユーザのクラウドカード情報を受信した場合、当該クラウドカード情報を着信インターフェースに表示することができる。これにより、前記発呼の受信者は、着信インターフェースに表示されたクラウドカード情報に対するチェックを通じて、当該発呼者の個人資料を取得でき、ユーザの通話体験を向上させる。
【００２３】
なお、上述の一般的な記載及び後述の詳細な記載は、単なる例示的な解釈であり、本発明に対する限定として見なしてはいけない。
【図面の簡単な説明】
【００２４】
以下の図面は、明細書に組み入れて本願明細書の一部分となり、本発明に係る実施例を示し、且つ明細書とともに、本発明の原理の説明に用いられる。
【図１】図１は、例示的な一実施例に係るクラウドカードの送信方法を示す模式的なフローチャートである。
【図２】図２は、例示的な一実施例に係る別のクラウドカードの送信方法を示す模式的なフローチャートである。
【図３】図３は、例示的な一実施例に係る別のクラウドカードの送信方法を示す模式的なフローチャートである。
【図４】図４は、例示的な一実施例に係るクラウドカードの送信装置を示す模式的なブロック図である。
【図５】図５は、例示的な一実施例に係る別のクラウドカードの送信装置を示す模式的なブロック図である。
【図６】図６は、例示的な一実施例に係る別のクラウドカードの送信装置を示す模式的なブロック図である。
【図７】図７は、例示的な一実施例に係る別のクラウドカードの送信装置を示す模式的なブロック図である。
【図８】図８は、例示的な一実施例に係る別のクラウドカードの送信装置を示す模式的なブロック図である。
【図９】図９は、例示的な一実施例に係る別のクラウドカードの送信装置を示す模式的なブロック図である。
【図１０】図１０は、例示的な一実施例に係る別のクラウドカードの送信装置を示す模式的なブロック図である。
【図１１】図１１は、例示的な一実施例に係る前記クラウドカードの送信装置の構成を示す模式図である。
【図１２】図１２は、例示的な一実施例に係る前記クラウドカードの送信装置の構成を示す模式図である。
【発明を実施するための形態】
【００２５】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。逆に、それらは、特許請求の範囲に記載の本発明のある側面に一致する装置及び方法の例に過ぎない。
【００２６】
本発明に記載の用語は、特定の実施例を説明する目的で使用されるものに過ぎず、本発明を限定するものではない。本発明及び添付された特許請求の範囲に記載の単数形式の「１種類」、「前記」及び「当該」は、前後の文章においてそれぞれ他の意味を含有すると明確に記載される以外には、複数の形式も含む。なお、本発明に記載の「及び／又は」は、挙げられる事項の１つ又は複数の何れ又は全ての組み合わせを意味する。
【００２７】
また、本発明は、第１、第２、第３等の用語を使って各種の情報を説明するが、それらの情報は上記用語に限定されない。それらの用語は、同一種類の情報同士を区分するためのものに過ぎない。例えば、本発明の範囲から逸脱しない状況で、第１情報を第２情報と称しても良い。同じように、第２情報を第１情報と称してもよい。ここで使っている用語「……場合」は、上下文の意味によって、「……時」又は「……と」又は「確定に応じる」に解釈されてもよい。
【００２８】
本発明が提供するクラウドカードの送信方法によれば、ユーザが、発呼中にクラウドカードを含むことを選択したか否かを判断することにより、ユーザが、発呼中にクラウドカードを含むことを選択した場合、保存された当該ユーザのクラウドカード情報を今回の前記発呼の受信者にプッシュするようクラウドサーバに通知し、前記発呼の受信者は、クラウドサーバによりプッシュされた当該ユーザのクラウドカード情報を受信した場合、当該クラウドカード情報を着信インターフェースに表示することができる。これにより、前記発呼の受信者は、着信インターフェースに表示されたクラウドカード情報に対するチェックを通じて、当該発呼者の個人資料を取得でき、ユーザの通話体験を向上させる。
【００２９】
図１に示すように、図１は、例示的な一実施例に係るクラウドカードの送信方法である。当該クラウドカードの送信方法は、端末に適用され、以下のステップを含む。即ち、
ステップ１０１において、ユーザが、発呼中にクラウドカードを含むことを選択したか否かを判断する。
【００３０】
ステップ１０２において、ユーザが、発呼中にクラウドカードを含むことを選択した場合、指示メッセージをクラウドサーバに送信する。当該指示メッセージは、保存された前記ユーザのクラウドカード情報を前記発呼の受信者にプッシュするように前記クラウドサーバに指示することにより、前記発呼の受信者の着信インターフェースに前記クラウドカード情報を表示するためのものである。
【００３１】
本実施例において、端末は、ユーザの移動端末、例えば、ユーザのスマートフォンであってもよい。クラウドサーバは、当該移動端末に対してクラウドサービスを提供するサーバ、サーバ・クラスタ又はクラウドプラットフォームであってもよい。クラウドカードは、ユーザが構築してクラウドサーバに保存した電子名刺であり、ユーザの氏名、連絡方法、会社名及びメールアドレス等の基本的な個人資料を含んでもよく、ユーザが設定したマルチメディアカード情報をさらに含んでもよい。例えば、当該マルチメディアカード情報は、ユーザが設定インターフェースにおいて設定した高解像度写真、音声による自己紹介及びビデオ映像による自己紹介等を含んでもよい。
【００３２】
ここで、ユーザは、クラウドカードを設定する場合、移動端末においてクラウドカードの機能を起動することにより実現できる。例えば、移動端末においてクラウドカードの機能項目を設定することができ、移動端末のユーザは、当該機能項目を選択することによりクラウドカードの機能を起動することができる。
【００３３】
クラウドカードの機能を起動した後、ユーザは、移動端末がユーザに向けて提供するクラウドカード設定インターフェースにおいて、個人のクラウドカード情報を設定することができる。ユーザが当該クラウドカード設定インターフェースにおいてクラウドカード情報の設定を完了すると、この時、移動端末は、当該クラウドカード設定インターフェースからユーザが設定したクラウドカード情報を取得することができ、ユーザが設定完了したクラウドカード情報をユーザの移動端末によりクラウドサーバにアップロードすることができる。
【００３４】
クラウドサーバは、当該ユーザの移動端末によりアップロードされたクラウドカード情報を受信した後、受信されたクラウドカード情報を自装置に記憶することができ、且つ前記クラウドカード情報と前記ユーザとの対応関係を保存することができるので、後の照会が便利になる。
【００３５】
例えば、クラウドサーバは、当該クラウドカード情報と対応のユーザとの間の対応関係を構築する際に、自装置において当該クラウドカード情報に唯一の識別情報、例えば、クラウドカードＩＤを割り当てることができ、そして、割り当てられたクラウドカードＩＤを当該ユーザの移動端末に送信して保存する。同時に、クラウドサーバは、自装置に割り当てられたクラウドカードＩＤと自装置に保存された当該ユーザのクラウドカード情報との間の対応関係をさらに保存してもよい。
【００３６】
本実施例において、ユーザのクラウドカード設定インターフェースにおいて設定したクラウドカード情報がクラウドサーバに成功的にアップロードされると、この時、当該ユーザが発呼者としてその他の連絡先に発呼する際に、個人のクラウドカードを発呼に付帯することを選択する。これにより、当該発呼の前記発呼の受信者が、当該ユーザからの発呼を受信する際に、当該ユーザのクラウドカードを着信インターフェースに表示できるようにしてもよい。
【００３７】
実現にあたり、発信インターフェースにおいて、発呼中にクラウドカードを付帯する設定項目を設定してもよく、ユーザは、発呼者として発呼する際に、発信インターフェースにおいて当該設定項目を選択することにより、クラウドカードを当該発呼に付帯することを選択してもよい。これと同時に、移動端末は、バックグラウンドシステムでリアルタイムで、ユーザが当該発信インターフェースを操作する際にトリガーして入力した操作命令を受信することができ、受信した内容が、ユーザからの当該発信インターフェースにおける当該設定項目に対する選択命令である場合、移動端末は、ユーザが当該設定項目を選択したと決定できる。この時、他の連絡先に発呼する場合、当該ユーザのクラウドカードを発呼に付帯することができる。例えば、タッチスクリーン移動端末の場合、ユーザは、当該設定項目に対してタッチ操作を行うことにより、移動端末バックグラウンドへの選択命令の送信をトリガーすることができる。移動端末は、バックグラウンドで当該ユーザの当該設定項目に対するタッチイベントをモニタリングし、且つユーザが当該設定項目に対するタッチ操作によりトリガーした選択命令を受信した場合、ユーザが、当該設定項目を選択したと決定できる。
【００３８】
ここで、上述の発信インターフェースは、移動端末のダイヤルインターフェースであってもよく、移動端末の自装置アドレス帳における連絡先のインターフェースであってもよい。
【００３９】
例えば、一つの状況において、当該ユーザは、発呼者としてストレンジャーに発呼する際に、通常ダイヤルインターフェースにおいて直接当該ストレンジャーの電話番号をダイヤルすることができる。このような状況において、当該設定項目は、ダイヤルインターフェースにおける予め設定された「ダイヤル及び個人のクラウドカードを付帯」という設定項目であってもよい。ユーザは、発呼する際に、直接ダイヤルインターフェースにおいて当該設定項目を選択することにより、個人のクラウドカードを発呼に付帯してもよい。
【００４０】
別の状況において、当該ユーザは、発呼者として自装置アドレス帳にある連絡先に発呼する際に、通常、直接自装置アドレス帳において操作することにより、当該連絡先に発呼することができる。このような状況において、当該設定項目は、自装置アドレス帳における予め設定された「ダイヤル及び個人のクラウドカードを付帯」という設定項目であってもよい。ユーザは、直接自装置アドレス帳において当該設定項目を選択することにより、個人のクラウドカードを発呼に付帯してもよい。例えば、タッチスクリーン移動端末の場合、ユーザは、自装置アドレス帳にある連絡先に発呼する際に、当該連絡先を長時間押し操作により、システムが上述の「ダイヤル及び個人のクラウドカードを付帯」という設定項目を出力するようにトリガーすることができ、そして、当該ユーザは、当該設定項目に対してタッチ操作を行うことにより、当該設定項目を選択して個人のクラウドカードを発呼に付帯することができる。
【００４１】
本実施例において、当該ユーザは、発呼者として移動端末において発呼する際に、当該ユーザにより設定されたクラウドカード情報はクラウドサーバにアップロードされているため、この時の移動端末は、保存された当該発呼者ユーザのクラウドカード情報を当該前記発呼の受信者にプッシュするようクラウドサーバに指示するための指示メッセージを、クラウドサービスに送信してもよい。当該指示メッセージにおいては、クラウドサービスが当該発呼者ユーザのクラウドカード情報に対し割り当てたクラウドカードＩＤを付帯してもよい。
【００４２】
クラウドサーバは、当該指示メッセージを受信した後、当該クラウドカードＩＤに基づいて、保存されたクラウドカードＩＤとクラウドカード情報との間の対応関係を照会して、当該クラウドカードＩＤに対応する発呼者のクラウドカード情報を探し出すことができ、そして、探し出した発呼者のクラウドカード情報を当該発呼者の発呼した前記発呼の受信者にプッシュする。当該前記発呼の受信者の移動端末は、クラウドサーバによりプッシュされたクラウドカード情報を受信した後、受信されたクラウドカード情報を着信インターフェースに表示することができる。同時に、当該前記発呼の受信者は、さらに、当該受信インターフェース中に表示されたクラウドカード情報に対する操作を通じて、当該着信インターフェースに表示されたクラウドカード情報を自装置アドレス帳に保存することを選択できる。
【００４３】
このような方法によって、ストレンジャーによる発呼を受信する状況では、前記発呼の受信者は、ストレンジャーからの電話呼び出しを受信する際に、着信インターフェースに表示された当該ストレンジャーのクラウドカード情報をチェックすることにより当該ストレンジャーの個人資料を取得することができる。これにより、ストレンジャーを充分に識別することができる。
【００４４】
自装置アドレス帳における連絡先からの発呼を受信する状況では、連絡先が設定したクラウドカード情報には、ユーザの基本的な個人資料のほか、連絡先が設定したマルチメディアクラウドカード情報をさらに含むことができるため、前記発呼の受信者は、着信インターフェースに表示された当該連絡先が設定したクラウドカード情報をチェックすることにより、当該連絡先が設定した最新の高解像度写真等のマルチメディアクラウドカード情報を取得することができる。それゆえ、ユーザの通話体験を向上させることができる。
【００４５】
以上に記載されたのは、移動端末の自装置ユーザは発呼者として発呼する過程であるが、当該自装置ユーザは、前記発呼の受信者としてリモート連絡先からの発呼を受信した場合においても、以上に記載された実施過程どおりに、クラウドサーバによりプッシュされた当該リモート連絡先のクラウドカード情報を着信インターフェースに表示することができる。
【００４６】
本実施例において、リモート連絡先は、移動端末において個人のクラウドカード情報を設定して、設定完了のクラウドカード情報をクラウドサーバにアップロードしてもよい。当該リモート連絡先は、発呼者として自装置ユーザに発呼する際に、個人のクラウドカード情報を発呼に付帯することを選択して、クラウドサーバに指示メッセージを送信することにより、クラウドサーバに、その自装置に保存された当該リモート連絡先のクラウドカード情報を自装置ユーザにプッシュするように指示してもよい。
【００４７】
自装置ユーザの移動端末は、リモート連絡先からの発呼を受信する際に、受信されたクラウドサーバによりプッシュされた当該リモート連絡先のクラウドカード情報を着信インターフェースに表示することができる。着信インターフェースに表示されたクラウドカード情報に対しては、自装置ユーザは、当該着信インターフェースに表示されたクラウドカード情報に対して操作を行うことにより、当該クラウドカード情報を自装置アドレス帳に保存することを選択してもよい。
【００４８】
例えば、タッチスクリーン移動端末の場合、ユーザは、当該着信インターフェースに表示されたクラウドカード情報を長時間押し操作により、当該クラウドカード情報を自装置アドレス帳に保存するとの保存命令を移動端末バックグラウンドへ送信するようトリガーすることができる。移動端末は、バックグラウンドで当該ユーザの当該設定項目に対する長時間押しイベントをモニタリングし、且つユーザが当該設定項目に対して長時間押し操作を行ってトリガーした保存命令を受信した場合、当該クラウドカード情報を自装置アドレス帳に保存することができる。
【００４９】
以上の実施例によれば、ユーザが、発呼中にクラウドカードを含むことを選択したか否かを判断することにより、ユーザが、発呼中にクラウドカードを含むことを選択した場合、保存された当該ユーザのクラウドカード情報を今回の前記発呼の受信者にプッシュするようクラウドサーバに通知し、前記発呼の受信者は、クラウドサーバによりプッシュされた当該ユーザのクラウドカード情報を受信した場合、当該クラウドカード情報を着信インターフェースに表示することができる。これにより、前記発呼の受信者は、着信インターフェースに表示されたクラウドカード情報に対するチェックを通じて、当該発呼者の個人資料を取得でき、ユーザの通話体験を向上させる。
【００５０】
図２に示すように、図２は、例示的な一実施例に係るクラウドカードの送信方法である。当該クラウドカードの送信方法は、クラウドサーバに適用され、以下のステップを含む。即ち、
ステップ２０１において、端末が発呼の際に送信する指示メッセージを受信する。当該指示メッセージは、保存された発呼者のクラウドカード情報を前記発呼の受信者にプッシュするように前記クラウドサーバに指示するためのものである。
【００５１】
ステップ２０２において、前記指示メッセージに基づいて、保存された前記発呼者のクラウドカード情報を前記発呼の受信者にプッシュして、前記発呼の受信者の着信インターフェースに前記クラウドカード情報を表示するようにする。
【００５２】
本実施例において、クラウドサーバは、当該移動端末に対してクラウドサービスを提供するサーバ、サーバ・クラスタ又はクラウドプラットフォームであってもよい。端末は、ユーザの移動端末、例えば、ユーザのスマートフォンであってもよい。クラウドカードは、ユーザが構築してクラウドサーバに保存した電子名刺であり、ユーザの氏名、連絡方法、会社名及びメールアドレス等の基本的な個人資料を含んでもよく、ユーザが設定したマルチメディアカード情報をさらに含んでもよい。例えば、当該マルチメディアカード情報は、ユーザが設定インターフェースにおいて設定した高解像度写真、音声による自己紹介及びビデオ映像による自己紹介等を含んでもよい。
【００５３】
ここで、ユーザは、クラウドカードを設定する場合、移動端末においてクラウドカードの機能を起動することにより実現できる。例えば、移動端末においてクラウドカードの機能項目を設定することができ、移動端末のユーザは、当該機能項目を選択することによりクラウドカードの機能を起動することができる。
【００５４】
クラウドカードの機能を起動した後、ユーザは、移動端末がユーザに向けて提供するクラウドカード設定インターフェースにおいて、個人のクラウドカード情報を設定することができる。ユーザが当該クラウドカード設定インターフェースにおいてクラウドカード情報の設定を完了すると、この時、移動端末は、当該クラウドカード設定インターフェースからユーザが設定したクラウドカード情報を取得することができ、ユーザが設定完了したクラウドカード情報をユーザの移動端末によりクラウドサーバにアップロードすることができる。
【００５５】
クラウドサーバは、当該ユーザの移動端末によりアップロードされたクラウドカード情報を受信した後、受信されたクラウドカード情報を自装置に記憶することができ、且つ前記クラウドカード情報と前記ユーザとの対応関係を保存することができるので、後の照会が便利になる。
【００５６】
例えば、クラウドサーバは、当該クラウドカード情報と対応のユーザとの間の対応関係を構築する際に、自装置において当該クラウドカード情報に唯一の識別情報、例えば、クラウドカードＩＤを割り当てることができ、そして、割り当てられたクラウドカードＩＤを当該ユーザの移動端末に送信して保存する。同時に、クラウドサーバは、自装置に割り当てられたクラウドカードＩＤと自装置に保存された当該ユーザのクラウドカード情報との間の対応関係をさらに保存してもよい。
【００５７】
本実施例において、ユーザのクラウドカード設定インターフェースにおいて設定したクラウドカード情報がクラウドサーバに成功的にアップロードされると、この時、当該ユーザが発呼者としてその他の連絡先に発呼する際に、個人のクラウドカードを発呼に付帯することを選択する。これにより、当該発呼の前記発呼の受信者が、当該ユーザからの発呼を受信する際に、当該ユーザのクラウドカードを着信インターフェースに表示できるようにしてもよい。
【００５８】
実現にあたり、発信インターフェースにおいて、発呼中にクラウドカードを付帯する設定項目を設定してもよく、ユーザは、発呼者として発呼する際に、発信インターフェースにおいて当該設定項目を選択することにより、クラウドカードを当該発呼に付帯することを選択してもよい。これと同時に、移動端末は、バックグラウンドシステムでリアルタイムで、ユーザが当該発信インターフェースを操作する際にトリガーして入力した操作命令を受信することができ、受信した内容が、ユーザからの当該発信インターフェースにおける当該設定項目に対する選択命令である場合、移動端末は、ユーザが当該設定項目を選択したと決定できる。この時、他の連絡先に発呼する場合、当該ユーザのクラウドカードを発呼に付帯することができる。例えば、タッチスクリーン移動端末の場合、ユーザは、当該設定項目に対してタッチ操作を行うことにより、移動端末バックグラウンドへの選択命令の送信をトリガーすることができる。移動端末は、バックグラウンドで当該ユーザの当該設定項目に対するタッチイベントをモニタリングし、且つユーザが当該設定項目に対するタッチ操作によりトリガーした選択命令を受信した場合、ユーザが、当該設定項目を選択したと決定できる。
【００５９】
ここで、上述の発信インターフェースは、移動端末のダイヤルインターフェースであってもよく、移動端末の自装置アドレス帳における連絡先のインターフェースであってもよい。
【００６０】
例えば、一つの状況において、当該ユーザは、発呼者としてストレンジャーに発呼する際に、通常ダイヤルインターフェースにおいて直接当該ストレンジャーの電話番号をダイヤルすることができる。このような状況において、当該設定項目は、ダイヤルインターフェースにおける予め設定された「ダイヤル及び個人のクラウドカードを付帯」という設定項目であってもよい。ユーザは、発呼する際に、直接ダイヤルインターフェースにおいて当該設定項目を選択することにより、個人のクラウドカードを発呼に付帯してもよい。
【００６１】
別の状況において、当該ユーザは、発呼者として自装置アドレス帳にある連絡先に発呼する際に、通常、直接自装置アドレス帳において操作することにより、当該連絡先に発呼することができる。このような状況において、当該設定項目は、自装置アドレス帳における予め設定された「ダイヤル及び個人のクラウドカードを付帯」という設定項目であってもよい。ユーザは、直接自装置アドレス帳において当該設定項目を選択することにより、個人のクラウドカードを発呼に付帯してもよい。例えば、タッチスクリーン移動端末の場合、ユーザは、自装置アドレス帳にある連絡先に発呼する際に、当該連絡先を長時間押し操作により、システムが上述の「ダイヤル及び個人のクラウドカードを付帯」という設定項目を出力するようにトリガーすることができ、そして、当該ユーザは、当該設定項目に対してタッチ操作を行うことにより、当該設定項目を選択して個人のクラウドカードを発呼に付帯することができる。
【００６２】
本実施例において、当該ユーザは、発呼者として移動端末において発呼する際に、当該ユーザにより設定されたクラウドカード情報はクラウドサーバにアップロードされているため、この時の移動端末は、保存された当該発呼者ユーザのクラウドカード情報を当該前記発呼の受信者にプッシュするようクラウドサーバに指示するための指示メッセージを、クラウドサービスに送信してもよい。当該指示メッセージにおいては、クラウドサービスが当該発呼者ユーザのクラウドカード情報に対し割り当てたクラウドカードＩＤを付帯してもよい。
【００６３】
クラウドサーバは、当該指示メッセージを受信した後、当該クラウドカードＩＤに基づいて、保存されたクラウドカードＩＤとクラウドカード情報との間の対応関係を照会して、当該クラウドカードＩＤに対応する発呼者のクラウドカード情報を探し出すことができ、そして、探し出した発呼者のクラウドカード情報を当該発呼者の発呼した前記発呼の受信者にプッシュする。当該前記発呼の受信者の移動端末は、クラウドサーバによりプッシュされたクラウドカード情報を受信した後、受信されたクラウドカード情報を着信インターフェースに表示することができる。同時に、当該前記発呼の受信者は、さらに、当該受信インターフェース中に表示されたクラウドカード情報に対する操作を通じて、当該着信インターフェースに表示されたクラウドカード情報を自装置アドレス帳に保存することを選択できる。
【００６４】
このような方法によって、ストレンジャーによる発呼を受信する状況では、前記発呼の受信者は、ストレンジャーからの電話呼び出しを受信する際に、着信インターフェースに表示された当該ストレンジャーのクラウドカード情報をチェックすることにより当該ストレンジャーの個人資料を取得することができる。これにより、ストレンジャーを充分に識別することができる。
【００６５】
自装置アドレス帳における連絡先からの発呼を受信する状況では、連絡先が設定したクラウドカード情報には、ユーザの基本的な個人資料のほか、連絡先が設定したマルチメディアクラウドカード情報をさらに含むことができるため、前記発呼の受信者は、着信インターフェースに表示された当該連絡先が設定したクラウドカード情報をチェックすることにより、当該連絡先が設定した最新の高解像度写真等のマルチメディアクラウドカード情報を取得することができる。それゆえ、ユーザの通話体験を向上させることができる。
【００６６】
以上に記載されたのは、移動端末の自装置ユーザは発呼者として発呼する過程であるが、当該自装置ユーザは、前記発呼の受信者としてリモート連絡先からの発呼を受信した場合においても、以上に記載された実施過程どおりに、クラウドサーバによりプッシュされた当該リモート連絡先のクラウドカード情報を着信インターフェースに表示することができる。
【００６７】
本実施例において、リモート連絡先は、移動端末において個人のクラウドカード情報を設定して、設定完了のクラウドカード情報をクラウドサーバにアップロードしてもよい。当該リモート連絡先は、発呼者として自装置ユーザに発呼する際に、個人のクラウドカード情報を発呼に付帯することを選択して、クラウドサーバに指示メッセージを送信することにより、クラウドサーバに、その自装置に保存された当該リモート連絡先のクラウドカード情報を自装置ユーザにプッシュするように指示してもよい。
【００６８】
自装置ユーザの移動端末は、リモート連絡先からの発呼を受信する際に、受信されたクラウドサーバによりプッシュされた当該リモート連絡先のクラウドカード情報を着信インターフェースに表示することができる。着信インターフェースに表示されたクラウドカード情報に対しては、自装置ユーザは、当該着信インターフェースに表示されたクラウドカード情報に対して操作を行うことにより、当該クラウドカード情報を自装置アドレス帳に保存することを選択してもよい。
【００６９】
例えば、タッチスクリーン移動端末の場合、ユーザは、当該着信インターフェースに表示されたクラウドカード情報を長時間押し操作により、当該クラウドカード情報を自装置アドレス帳に保存するとの保存命令を移動端末バックグラウンドへ送信するようトリガーすることができる。移動端末は、バックグラウンドで当該ユーザの当該設定項目に対する長時間押しイベントをモニタリングし、且つユーザが当該設定項目に対して長時間押し操作を行ってトリガーした保存命令を受信した場合、当該クラウドカード情報を自装置アドレス帳に保存することができる。
【００７０】
以上の実施例によれば、ユーザが、発呼中にクラウドカードを含むことを選択したか否かを判断することにより、ユーザが、発呼中にクラウドカードを含むことを選択した場合、保存された当該ユーザのクラウドカード情報を今回の前記発呼の受信者にプッシュするようクラウドサーバに通知し、前記発呼の受信者は、クラウドサーバによりプッシュされた当該ユーザのクラウドカード情報を受信した場合、当該クラウドカード情報を着信インターフェースに表示することができる。これにより、前記発呼の受信者は、着信インターフェースに表示されたクラウドカード情報に対するチェックを通じて、当該発呼者の個人資料を取得でき、ユーザの通話体験を向上させる。
【００７１】
図３に示すように、図３は、例示的な一実施例に係るクラウドカードの送信方法である。当該クラウドカードの送信方法は、以下のステップを含む。即ち、
ステップ３０１において、発呼者が、発呼中にクラウドカードを含むことを選択したか否かを判断する。
【００７２】
ステップ３０２において、発呼者が、発呼中にクラウドカードを含むことを選択した場合、クラウドサーバに指示メッセージを送信する。前記指示メッセージは、保存された発呼者のクラウドカード情報を前記発呼の受信者にプッシュするように前記クラウドサーバに指示することにより、前記発呼の受信者の着信インターフェースに前記クラウドカード情報を表示するためのものである。
【００７３】
ステップ３０３において、クラウドサーバは、前記指示メッセージに基づいて、保存された前記発呼者のクラウドカード情報を前記発呼の受信者にプッシュして、前記発呼の受信者の着信インターフェースに前記クラウドカード情報を表示する。
【００７４】
本実施例において、端末は、ユーザの移動端末、例えば、ユーザのスマートフォンであってもよい。クラウドサーバは、当該移動端末に対してクラウドサービスを提供するサーバ、サーバ・クラスタ又はクラウドプラットフォームであってもよい。クラウドカードは、ユーザが構築してクラウドサーバに保存した電子名刺であり、ユーザの氏名、連絡方法、会社名及びメールアドレス等の基本的な個人資料を含んでもよく、ユーザが設定したマルチメディアカード情報をさらに含んでもよい。例えば、当該マルチメディアカード情報は、ユーザが設定インターフェースにおいて設定した高解像度写真、音声による自己紹介及びビデオ映像による自己紹介等を含んでもよい。
【００７５】
ここで、ユーザは、クラウドカードを設定する場合、移動端末においてクラウドカードの機能を起動することにより実現できる。例えば、移動端末においてクラウドカードの機能項目を設定することができ、移動端末のユーザは、当該機能項目を選択することによりクラウドカードの機能を起動することができる。
【００７６】
クラウドカードの機能を起動した後、ユーザは、移動端末がユーザに向けて提供するクラウドカード設定インターフェースにおいて、個人のクラウドカード情報を設定することができる。ユーザが当該クラウドカード設定インターフェースにおいてクラウドカード情報の設定を完了すると、この時、移動端末は、当該クラウドカード設定インターフェースからユーザが設定したクラウドカード情報を取得することができ、ユーザが設定完了したクラウドカード情報をユーザの移動端末によりクラウドサーバにアップロードすることができる。
【００７７】
クラウドサーバは、当該ユーザの移動端末によりアップロードされたクラウドカード情報を受信した後、受信されたクラウドカード情報を自装置に記憶することができ、且つ前記クラウドカード情報と前記ユーザとの対応関係を保存することができるので、後の照会が便利になる。
【００７８】
例えば、クラウドサーバは、当該クラウドカード情報と対応のユーザとの間の対応関係を構築する際に、自装置において当該クラウドカード情報に唯一の識別情報、例えば、クラウドカードＩＤを割り当てることができ、そして、割り当てられたクラウドカードＩＤを当該ユーザの移動端末に送信して保存する。同時に、クラウドサーバは、自装置に割り当てられたクラウドカードＩＤと自装置に保存された当該ユーザのクラウドカード情報との間の対応関係をさらに保存してもよい。
【００７９】
本実施例において、ユーザのクラウドカード設定インターフェースにおいて設定したクラウドカード情報がクラウドサーバに成功的にアップロードされると、この時、当該ユーザが発呼者としてその他の連絡先に発呼する際に、個人のクラウドカードを発呼に付帯することを選択する。これにより、当該発呼の前記発呼の受信者が、当該ユーザからの発呼を受信する際に、当該ユーザのクラウドカードを着信インターフェースに表示できるようにしてもよい。
【００８０】
実現にあたり、発信インターフェースにおいて、発呼中にクラウドカードを付帯する設定項目を設定してもよく、ユーザは、発呼者として発呼する際に、発信インターフェースにおいて当該設定項目を選択することにより、クラウドカードを当該発呼に付帯することを選択してもよい。これと同時に、移動端末は、バックグラウンドシステムでリアルタイムで、ユーザが当該発信インターフェースを操作する際にトリガーして入力した操作命令を受信することができ、受信した内容が、ユーザからの当該発信インターフェースにおける当該設定項目に対する選択命令である場合、移動端末は、ユーザが当該設定項目を選択したと決定できる。この時、他の連絡先に発呼する場合、当該ユーザのクラウドカードを発呼に付帯することができる。例えば、タッチスクリーン移動端末の場合、ユーザは、当該設定項目に対してタッチ操作を行うことにより、移動端末バックグラウンドへの選択命令の送信をトリガーすることができる。移動端末は、バックグラウンドで当該ユーザの当該設定項目に対するタッチイベントをモニタリングし、且つユーザが当該設定項目に対するタッチ操作によりトリガーした選択命令を受信した場合、ユーザが、当該設定項目を選択したと決定できる。
【００８１】
ここで、上述の発信インターフェースは、移動端末のダイヤルインターフェースであってもよく、移動端末の自装置アドレス帳における連絡先のインターフェースであってもよい。
【００８２】
例えば、一つの状況において、当該ユーザは、発呼者としてストレンジャーに発呼する際に、通常ダイヤルインターフェースにおいて直接当該ストレンジャーの電話番号をダイヤルすることができる。このような状況において、当該設定項目は、ダイヤルインターフェースにおける予め設定された「ダイヤル及び個人のクラウドカードを付帯」という設定項目であってもよい。ユーザは、発呼する際に、直接ダイヤルインターフェースにおいて当該設定項目を選択することにより、個人のクラウドカードを発呼に付帯してもよい。
【００８３】
別の状況において、当該ユーザは、発呼者として自装置アドレス帳にある連絡先に発呼する際に、通常、直接自装置アドレス帳において操作することにより、当該連絡先に発呼することができる。このような状況において、当該設定項目は、自装置アドレス帳における予め設定された「ダイヤル及び個人のクラウドカードを付帯」という設定項目であってもよい。ユーザは、直接自装置アドレス帳において当該設定項目を選択することにより、個人のクラウドカードを発呼に付帯してもよい。例えば、タッチスクリーン移動端末の場合、ユーザは、自装置アドレス帳にある連絡先に発呼する際に、当該連絡先を長時間押し操作により、システムが上述の「ダイヤル及び個人のクラウドカードを付帯」という設定項目を出力するようにトリガーすることができ、そして、当該ユーザは、当該設定項目に対してタッチ操作を行うことにより、当該設定項目を選択して個人のクラウドカードを発呼に付帯することができる。
【００８４】
本実施例において、当該ユーザは、発呼者として移動端末において発呼する際に、当該ユーザにより設定されたクラウドカード情報がクラウドサーバにアップロードされているため、この時、移動端末は、保存された当該発呼者ユーザのクラウドカード情報を当該前記発呼の受信者にプッシュするようクラウドサーバに指示するための指示メッセージを、クラウドサービスに送信してもよい。当該指示メッセージにおいては、クラウドサービスが当該発呼者ユーザのクラウドカード情報に対し割り当てたクラウドカードＩＤを付帯してもよい。
【００８５】
クラウドサーバは、当該指示メッセージを受信した後、当該クラウドカードＩＤに基づいて、保存されたクラウドカードＩＤとクラウドカード情報との間の対応関係を照会して、当該クラウドカードＩＤに対応する発呼者のクラウドカード情報を探し出すことができ、そして、探し出した発呼者のクラウドカード情報を当該発呼者の発呼した前記発呼の受信者にプッシュする。当該前記発呼の受信者の移動端末は、クラウドサーバによりプッシュされたクラウドカード情報を受信した後、受信されたクラウドカード情報を着信インターフェースに表示することができる。同時に、当該前記発呼の受信者は、さらに、当該受信インターフェース中に表示されたクラウドカード情報に対する操作を通じて、当該着信インターフェースに表示されたクラウドカード情報を自装置アドレス帳に保存することを選択できる。
【００８６】
このような方法によって、ストレンジャーによる発呼を受信する状況では、前記発呼の受信者は、ストレンジャーからの電話呼び出しを受信する際に、着信インターフェースに表示された当該ストレンジャーのクラウドカード情報をチェックすることにより当該ストレンジャーの個人資料を取得することができる。これにより、ストレンジャーを充分に識別することができる。
【００８７】
自装置アドレス帳における連絡先からの発呼を受信する状況では、連絡先が設定したクラウドカード情報には、ユーザの基本的な個人資料のほか、連絡先が設定したマルチメディアクラウドカード情報をさらに含むことができるため、前記発呼の受信者は、着信インターフェースに表示された当該連絡先が設定したクラウドカード情報をチェックすることにより、当該連絡先が設定した最新の高解像度写真等のマルチメディアクラウドカード情報を取得することができる。それゆえ、ユーザの通話体験を向上させることができる。
【００８８】
以上に記載されたのは、移動端末の自装置ユーザは発呼者として発呼する過程であるが、当該自装置ユーザは、前記発呼の受信者としてリモート連絡先からの発呼を受信した場合においても、以上に記載された実施過程どおりに、クラウドサーバによりプッシュされた当該リモート連絡先のクラウドカード情報を着信インターフェースに表示することができる。
【００８９】
本実施例において、リモート連絡先は、移動端末において個人のクラウドカード情報を設定して、設定完了のクラウドカード情報をクラウドサーバにアップロードしてもよい。当該リモート連絡先は、発呼者として自装置ユーザに発呼する際に、個人のクラウドカード情報を発呼に付帯することを選択して、クラウドサーバに指示メッセージを送信することにより、クラウドサーバに、その自装置に保存された当該リモート連絡先のクラウドカード情報を自装置ユーザにプッシュするように指示してもよい。
【００９０】
自装置ユーザの移動端末は、リモート連絡先からの発呼を受信する際に、受信されたクラウドサーバによりプッシュされた当該リモート連絡先のクラウドカード情報を着信インターフェースに表示することができる。着信インターフェースに表示されたクラウドカード情報に対しては、自装置ユーザは、当該着信インターフェースに表示されたクラウドカード情報に対して操作を行うことにより、当該クラウドカード情報を自装置アドレス帳に保存することを選択してもよい。
【００９１】
例えば、タッチスクリーン移動端末の場合、ユーザは、当該着信インターフェースに表示されたクラウドカード情報を長時間押し操作により、当該クラウドカード情報を自装置アドレス帳に保存するとの保存命令を移動端末バックグラウンドへ送信するようトリガーすることができる。移動端末は、バックグラウンドで当該ユーザの当該設定項目に対する長時間押しイベントをモニタリングし、且つユーザが当該設定項目に対して長時間押し操作を行ってトリガーした保存命令を受信した場合、当該クラウドカード情報を自装置アドレス帳に保存することができる。
【００９２】
以上の実施例によれば、ユーザが、発呼中にクラウドカードを含むことを選択したか否かを判断することにより、ユーザが、発呼中にクラウドカードを含むことを選択した場合、保存された当該ユーザのクラウドカード情報を今回の前記発呼の受信者にプッシュするようクラウドサーバに通知し、前記発呼の受信者は、クラウドサーバによりプッシュされた当該ユーザのクラウドカード情報を受信した場合、当該クラウドカード情報を着信インターフェースに表示することができる。これにより、前記発呼の受信者は、着信インターフェースに表示されたクラウドカード情報に対するチェックを通じて、当該発呼者の個人資料を取得でき、ユーザの通話体験を向上させる。
【００９３】
前述のクラウドカードの送信方法の実施例に対応して、本発明は、装置の実施例をさらに提供する。
【００９４】
図４は、例示的な一実施例に係るクラウドカードの送信装置を示す模式的なブロック図である。
【００９５】
図４に示すように、例示的な一実施例に係るクラウドカードの送信装置４００は、判断モジュール４０１と送信モジュール４０２とを備え、ここで、
前記判断モジュール４０１は、ユーザが、発呼中にクラウドカードを含むことを選択したか否かを判断するように構成される。
【００９６】
前記送信モジュール４０２は、ユーザが、発呼中にクラウドカードを含むことを選択した場合、指示メッセージをクラウドサーバに送信するように構成され、前記指示メッセージは、保存された前記ユーザのクラウドカード情報を前記発呼の受信者にプッシュするように前記クラウドサーバに指示することにより、前記発呼の受信者の着信インターフェースに前記クラウドカード情報を表示するためのものである。
【００９７】
以上の実施例によれば、ユーザが、発呼中にクラウドカードを含むことを選択したか否かを判断することにより、ユーザが、発呼中にクラウドカードを含むことを選択した場合、保存された当該ユーザのクラウドカード情報を今回の前記発呼の受信者にプッシュするようクラウドサーバに通知し、前記発呼の受信者は、クラウドサーバによりプッシュされた当該ユーザのクラウドカード情報を受信した場合、当該クラウドカード情報を着信インターフェースに表示することができる。これにより、前記発呼の受信者は、着信インターフェースに表示されたクラウドカード情報に対するチェックを通じて、当該発呼者の個人資料を取得でき、ユーザの通話体験を向上させる。
【００９８】
図５を参照すると、図５は、本発明の例示的な一実施例に係る別の装置を示す模式的なブロック図であり、当該実施例は、前述の図４に示す実施例を基にしたものであり、前記装置４００は、取得モジュール４０３とアップロードモジュール４０４とをさらに備えてもよい。ここで、
前記取得モジュール４０３は、ユーザが、発呼中にクラウドカードを含むことを選択したか否かを判断する前に、ユーザが予め設定されたクラウドカードの設定インターフェースにおいて設定したクラウドカード情報を取得するように構成される。
【００９９】
前記アップロードモジュール４０４は、取得した前記クラウドカード情報を前記クラウドサーバにアップロードするように構成される。
【０１００】
図６を参照すると、図６は、本発明の例示的な一実施例に係る別の装置を示す模式的なブロック図であり、当該実施例は、前述の図４に示す実施例を基にしたものであり、前記判断モジュール４０１は、受信サブモジュール４０１Ａと決定サブモジュール４０１Ｂとを備えてもよい。ここで、
前記受信サブモジュール４０１Ａは、発呼中にクラウドカードを含むように設定するための設定項目が含まれている発信インターフェースに対してユーザが入力した操作命令を受信するように構成される。
【０１０１】
前記決定サブモジュール４０１Ｂ  は、ユーザからの前記発信インターフェースにおける前記設定項目に対する選択命令を受信した場合、ユーザが、発呼中にクラウドカードを含むことを選択したと決定するように構成される。
【０１０２】
説明すべきなのは、上述の図６に示す装置の実施例において示す受信サブモジュール４０１Ａと決定サブモジュール４０１Ｂの構成は、前述の図５の装置の実施例に含まれてもよく、これに対して、本発明は限定しない。
【０１０３】
図７を参照すると、図７は、本発明の例示的な一実施例に係る別の装置を示す模式的なブロック図であり、当該実施例は、前述の図４に示す実施例を基にしたものであり、前記装置４００は、第１受信モジュール４０５と表示モジュール４０６をさらに備えてもよい。ここで、
前記第１受信モジュール４０５は、電話呼び出しを受信する際に、前記クラウドサーバによりプッシュされる前記発呼者のクラウドカード情報を受信するように構成される。
【０１０４】
前記表示モジュール４０６は、受信された前記クラウドカード情報を着信インターフェースに表示するように構成される。
【０１０５】
説明すべきなのは、上述の図６に示す装置の実施例における第１受信モジュール４０５と表示モジュール４０６の構成は、前述の図５〜６の装置の実施例に含まれてもよく、これに対して、本発明は限定しない。
【０１０６】
図８を参照すると、図８は、本発明の例示的な一実施例に係る別の装置を示す模式的なブロック図であり、当該実施例は、前述の図４に示す実施例を基にしたものであり、前記装置４００は、第２受信モジュール４０７と保存モジュール４０８とをさらに備えてもよい。ここで、
前記第２受信モジュール４０７は、ユーザが着信インターフェースに対して入力した操作命令を受信するように構成される。
【０１０７】
前記保存モジュール４０８は、ユーザからの前記着信インターフェースに表示された前記クラウドカード情報に対する保存命令を受信した場合、前記着信インターフェースに表示された前記クラウドカード情報を自装置アドレス帳に保存するように構成される。
【０１０８】
説明すべきなのは、上述の図８に示す装置の実施例における第２受信モジュール４０７と保存モジュール４０８の構成は、前述の図５〜７の装置の実施例に含まれてもよく、これに対して、本発明は限定しない。
【０１０９】
図９は、例示的な一実施例に係るクラウドカードの送信装置を示す模式的なブロック図である。
【０１１０】
図９に示すように、例示的な一実施例に係るクラウドカードの送信装置９００は、第３受信モジュール９０１とプッシュモジュール９０２とを備える。ここで、
前記第３受信モジュール９０１は、端末が発呼の際に送信した指示メッセージを受信するように構成される。当該指示メッセージは、保存された発呼者のクラウドカード情報を前記発呼の受信者にプッシュするようにクラウドサーバに指示するためのものである。
【０１１１】
前記プッシュモジュール９０２は、前記指示メッセージに基づいて、保存された前記発呼者のクラウドカード情報を前記発呼の受信者にプッシュして、前記発呼の受信者の着信インターフェースに前記クラウドカード情報を表示するように構成される。
【０１１２】
以上の実施例によれば、ユーザが、発呼中にクラウドカードを含むことを選択したか否かを判断することにより、ユーザが、発呼中にクラウドカードを含むことを選択した場合、保存された当該ユーザのクラウドカード情報を今回の前記発呼の受信者にプッシュするようクラウドサーバに通知し、前記発呼の受信者は、クラウドサーバによりプッシュされる当該ユーザのクラウドカード情報を受信した場合、当該クラウドカード情報を着信インターフェースに表示することができる。これにより、前記発呼の受信者は、着信インターフェースに表示されたクラウドカード情報に対するチェックを通じて、当該発呼者の個人資料を取得でき、ユーザの通話体験を向上させる。
【０１１３】
図１０を参照すると、図１０は、本発明の例示的な一実施例に係る別の装置を示す模式的なブロック図であり、当該実施例は、前述の図９に示す実施例を基にしたものであり、前記装置９００は、第４受信モジュール９０３と記憶モジュール９０４をさらに備えてもよい。ここで、
前記第４受信モジュール９０３は、ユーザが発呼中にクラウドカードを含むことを選択した際に端末が送信する指示メッセージを受信する前に、前記端末によりアップロードされる前記発呼者のクラウドカード情報を受信するように構成される。
【０１１４】
前記記憶モジュール９０４は、受信された前記発呼者のクラウドカード情報を自装置に保存するとともに、前記クラウドカード情報と前記発呼者との対応関係を保存する。
【０１１５】
上述の実施例に係る装置において、それぞれのモジュールが機能と作用を実現する具体的な過程については、前述の方法の実施例の対応する実現過程を参照し、ここではその詳細な説明を省略することにする。
【０１１６】
装置の実施例は、基本的に方法の実施例に対応するため、その関連部分について方法の実施例の内容を参照すればよい。以上に記載された装置の実施例は、ただ例示的なものにすぎず、前記分離ユニットとして説明されたモジュールは、物理的に分離されたものでも、分離されていないものであってもよい。モジュールとして表示されたユニットは、物理的なモジュールであっても、なくてもよい。即ち、一つの箇所に配置されてもよく、複数のネットワークモジュールに配置されもよい。実際のニーズに応じてその中の一部又は全部のモジュールを選択して本発明の目的を実現できる。当業者は創造的な労働を払わず、理解、且つ実施することができる。
【０１１７】
相応して、本発明は、クラウドカードの送信装置をさらに提供する。
【０１１８】
当該装置は、
プロセッサと、
プロセッサにより実行可能なインストラクションを記憶するためのメモリと、
を備え、
前記プロセッサは、
ユーザが、発呼中にクラウドカードを含むことを選択したか否かを判断し、
ユーザが、発呼中にクラウドカードを含むことを選択した場合、前記クラウドサーバに指示メッセージを送信するように構成され、
当該指示メッセージは、保存された前記ユーザのクラウドカード情報を前記発呼の受信者にプッシュするように前記クラウドサーバに指示することにより、前記発呼の受信者の着信インターフェースに前記クラウドカード情報を表示するためのものである。
【０１１９】
相応して、本発明は、メモリ及び一つ以上のプログラムを備える端末をさらに提供する。ここで、一つ以上のプログラムはメモリに記憶され、一つ以上のプロセッサにより以下の操作を行うためのインストラクションを含む前記一つ以上のプログラムを実行する。即ち、
ユーザが、発呼中にクラウドカードを含むことを選択したか否かを判断し、
ユーザが、発呼中にクラウドカードを含むことを選択した場合、前記クラウドサーバに指示メッセージを送信し、当該指示メッセージは、保存された前記ユーザのクラウドカード情報を前記発呼の受信者にプッシュするように前記クラウドサーバに指示することにより、前記発呼の受信者の着信インターフェースに前記クラウドカード情報を表示するためのものである。
【０１２０】
相応して、本発明は、クラウドカードの送信装置をさらに提供する。
【０１２１】
当該装置は、
プロセッサと、
前記プロセッサにより実行可能なインストラクションを記憶するためのメモリと
を備え、
前記プロセッサは、
端末が発呼の際に送信した指示メッセージであって、保存された発呼者のクラウドカード情報を前記発呼の受信者にプッシュするようにクラウドサーバに指示するための指示メッセージを受信し、
前記指示メッセージに基づいて、保存された前記発呼者のクラウドカード情報を前記発呼の受信者にプッシュして、前記発呼の受信者の着信インターフェースに前記クラウドカード情報を表示する
ように構成される。
【０１２２】
相応して、本発明は、メモリ及び一つ以上のプログラムを備えるサーバをさらに提供する。ここで、一つ以上のプログラムはメモリに記憶され、一つ以上のプロセッサにより以下の操作を行うためのインストラクションを含む前記一つ以上のプログラムを実行する。即ち、
端末が発呼の際に送信した指示メッセージであって、保存された発呼者のクラウドカード情報を前記発呼の受信者にプッシュするようにクラウドサーバに指示するための指示メッセージを受信し、
前記指示メッセージに基づいて、保存された前記発呼者のクラウドカード情報を前記発呼の受信者にプッシュして、前記発呼の受信者の着信インターフェースに前記クラウドカード情報を表示するようにする。
【０１２３】
図１１は、例示的な一実施例に係るクラウドカードの送信装置の構成を示す模式図である。
【０１２４】
図１１は、例示的な一実施例に係るクラウドカードの送信装置１１００示している。例えば、当該装置１１００は、携帯電話、コンピュータ、デジタル放送端末、メッセージ送受信機、ゲーム機、タブレットデバイス、医療機器、フィットネス設備、ＰＤＡ（Ｐｅｒｓｏｎａｌ  Ｄｉｇｉｔａｌ  Ａｓｓｉｓｔａｎｔ）等であってもよい。
【０１２５】
図１１を参照すること。装置１１００は、処理アセンブリ１１０１、メモリ１１０２、電源アセンブリ１１０３、マルチメディアアセンブリ１１０４、オーディオアセンブリ１１０５、入力／出力（Ｉ／Ｏ）インターフェース１１０６、センサアセンブリ１１０７及び通信アセンブリ１１０８からなる群から選ばれる少なくとも１つを備えてもよい。
【０１２６】
処理アセンブリ１１０１は、一般的には、装置１１００の全体の操作、例えば、表示、電話呼び出し、データ通信、カメラ操作及び記録操作に関連する操作を制御する。処理アセンブリ１１０１は、上述の方法におけるステップの一部又は全部を実現できるように、インストラクションを実行する少なくとも１つのプロセッサ１１０９を備えてもよい。なお、処理アセンブリ１１０１は、他のアセンブリとのインタラクションの便宜上、少なくとも１つのモジュールを備えてもよい。例えば、処理アセンブリ１１０１は、マルチメディアアセンブリ１１０４とのインタラクションの便利を図るために、マルチメディアモジュールを備えてもよい。
【０１２７】
メモリ１１０２は、装置１１００における操作を支援するための、各種のデータを記憶するように構成される。これらのデータの例として、装置１１００において操作される何れのアプリケーション又は方法に関するインストラクション、連絡先データ、アドレス帳データ、メッセージ、画像、ビデオ等を含む。メモリ１１０２は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク、又は光ディスク、又はこれらの組み合わせにより実現することができる。
【０１２８】
電源アセンブリ１１０３は、装置１１００の各種アセンブリに電力を供給するためのものであり、電源管理システム、１つ又は複数の電源、及び装置１１００のために電力を生成、管理及び分配することに関連のある他のアセンブリを備えてもよい。
【０１２９】
マルチメディアアセンブリ１１０４は、装置１１００とユーザとの間に出力インターフェースを提供するためのスクリーンを備えてもよい。何れかの実施例において、スクリーンは、液晶ディスプレイ（ＬＣＤ）やタッチパネル（ＴＰ）を備えてもよい。スクリーンは、タッチパネルを備える場合、ユーザからの入力信号を受信できるタッチスクリーンとして実現される。また、タッチパネルは、少なくとも１つのタッチセンサを備えることにより、タッチ、スライド、タッチパネル上でのジェスチャーを感知することができる。前記タッチセンサは、タッチやスライド動作の境界を感知できるだけではなく、タッチやスライド操作と関連する持続時間や圧力も感知できる。何れかの実施例において、マルチメディアアセンブリ１１０４は、フロントカメラ及び／又はバックカメラを備えてもよい。装置１１００が、例えば撮影モードやビデオモードのような操作モードにある場合、フロントカメラ及び／又はバックカメラは外部からのマルチメディアデータを受信できる。フロントカメラ及びバックカメラのそれぞれは、固定の光学レンズ系であってもよいし、可変の焦点距離及び光学ズーム機能を有するものであってもよい。
【０１３０】
オーディオアセンブリ１１０５は、オーディオ信号を出力及び／又は入力するように構成される。例えば、オーディオアセンブリ１１０５は、マイクロフォン（ＭＩＣ）を有してもよい。装置１１００が、例えば呼び出しモード、記録モード又は音声認識モードのような操作モードにある場合、マイクロフォンは外部のオーディオ信号を受信するように構成される。受信されたオーディオ信号は、メモリ１１０２に記憶されてもよく、通信アセンブリ１１０８を介して送信されてもよい。何れかの実施例において、オーディオアセンブリ１１０５は、オーディオ信号を出力するためのスピーカをさらに備えてもよい。
【０１３１】
Ｉ／Ｏインターフェース１１０２は、処理アセンブリ１１０１と周辺インターフェースモジュールとの間にインターフェースを提供するためのものである。前記周辺インターフェースモジュールは、キーボード、クリックホイール、ボタン等であってもよい。これらのボタンは、ホームボタン、音量ボタン、スタートボタン、ロックボタンであってもよいが、それらに限らない。
【０１３２】
センサアセンブリ１１０７は、装置１１００のために各方面の状態評価を提供するための少なくとも１つのセンサを備えてもよい。例えば、センサアセンブリ１１０７は、装置１１００のオン／オフ状態や、アセンブリの相対的な位置を検出することができる。例えば、前記アセンブリが装置１１００のディスプレイ及びキーパッドである場合、センサアセンブリ１１０７は、装置１１００又は装置１１００の１つのアセンブリの位置の変化や、ユーザと装置１１００との接触の有無や、装置１１００の方位又は加速／減速や、装置１１００の温度変化を検出することができる。センサアセンブリ１１０７は、何れの物理的接触もない状況にて付近の物体の有無を検出できるように構成される近接センサを含んでもよい。センサアセンブリ１１０７は、さらに、画像表示技術分野に用いられる光センサ、例えばＣＭＯＳ又はＣＣＤ画像センサを含んでもよい。何れかの実施例において、当該センサアセンブリ１１０７は、さらに、加速度センサ、ジャイロスコープセンサ、磁気センサ、圧力センサ又は温度センサを含んでもよい。
【０１３３】
通信アセンブリ１１０８は、装置１１００と他の設備との間の無線又は有線通信が便利になるように構成される。装置１１００は、通信標準に基づく無線ネットワーク、例えばＷＩＦＩ、２Ｇ又は３Ｇ、又はそれらの組み合わせにアクセスできる。１つの例示的な実施例において、通信アセンブリ１１０８は、ブロードキャストチャンネルを介して外部のブロードキャスト管理システムからのブロードキャスト信号又はブロードキャストに関する情報を受信することができる。１つの例示的な実施例において、前記通信アセンブリ１１０８は、さらに、近距離通信を促進するために近距離無線通信（ＮＦＣ）モジュールを含んでもよい。ＮＦＣモジュールは、例えば、無線周波数識別（ＲＦＩＤ：Ｒａｄｉｏ  Ｆｒｅｑｕｅｎｃｙ  Ｉｄｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（ＢＴ：Ｂｌｕｅｔｏｏｔｈ（登録商標））技術及び他の技術により実現されてもよい。
【０１３４】
例示的な実施例において、装置１１００は、上述の方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、数字信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子機器により実現されてもよい。
【０１３５】
例示的な実施例において、さらに、装置１１００のプロセッサ１１０９により実行されることにより上述の方法を実現可能なインストラクションが記憶され、且つコンピュータに読み取り可能な非一時的記録媒体、例えばインストラクションが記憶されているメモリ１１０２を提供する。前記コンピュータに読み取り可能な非一時的記録媒体は、例えばＲＯＭ、ＲＡＭ、ＣＤ−ＲＯＭ、磁気テープ、フロッピー（登録商標）ディスク及び光データメモリ等であってもよい。
【０１３６】
ここで、移動端末のプロセッサが前記記録媒体中のインストラクションを実行することにより、端末機器に、クラウドカードの送信方法を実行させることができ、前記方法は、
ユーザが、発呼中にクラウドカードを含むことを選択したか否かを判断するステップと、
ユーザが、発呼中にクラウドカードを含むことを選択した場合、前記クラウドサーバに指示メッセージを送信するステップと
を含み、
当該指示メッセージは、保存された前記ユーザのクラウドカード情報を前記発呼の受信者にプッシュするように前記クラウドサーバに指示することにより、前記発呼の受信者の着信インターフェースに前記クラウドカード情報を表示するためのものである。
【０１３７】
相応して、本発明は、さらに、クラウドカードの送信装置を提供する。
【０１３８】
当該装置は、
プロセッサと、
前記プロセッサにより実行可能なインストラクションを記憶するためのメモリと
を備え、
前記プロセッサは、
端末が発呼の際に送信した指示メッセージであって、保存された発呼者のクラウドカード情報を前記発呼の受信者にプッシュするようにクラウドサーバに指示するための指示メッセージを受信し、
前記指示メッセージに基づいて、保存された前記発呼者のクラウドカード情報を前記発呼の受信者にプッシュして、前記発呼の受信者の着信インターフェースに前記クラウドカード情報を表示する
ように構成される。
【０１３９】
図１２は、例示的な一実施例に係るクラウドカードの送信装置１２００を示すブロック図である。例えば、装置１２００はサーバとして提供されてもよい。図１２を参照すると、装置１２００は処理アセンブリ１２２２を含む。前記処理アセンブリ１２２２は１つ以上のプロセッサと、メモリ１２３２を代表とするメモリーリソースを含む。前記メモリ１２３２は、処理アセンブリ１２２２によって実行されるインストラクション、例えば応用プログラムを記憶するためのものである。メモリ１２３２に記憶される応用プログラムは、それぞれ一組のインストラクションに対応する１つ以上のモジュールを含んでもよい。また、処理アセンブリ１２２２は、インストラクションを実行して前記スマート機器の制御方法を実行するように構成される。
【０１４０】
装置１２００は、１つ以上のプロセッサを含む処理アセンブリ１２２２と、処理アセンブリ１２２２により実行される例えばアプリケーションプログラムなどのインストラクションを記憶するための、メモリ１２３２を代表とするメモリリソースとを含む。メモリ１２３２に記憶されるアプリケーションプログラムは、それぞれ一組のインストラクションに対応する１つ以上のモジュールを含んでもよい。なお、処理アセンブリ１２２２は、上述のスマート機器の制御方法を実行するよう、インストラクションを実行するように構成される。
【０１４１】
装置１１００は、装置１２００の電源管理を実施するように構成される電源アセンブリ１２２６と、装置１２００をネットワークに接続させるように構成される有線又は無線ネットワークインターフェース１２５０と、入力／出力（Ｉ／Ｏ）インターフェース１２５８とをさらに備えてもよい。装置１２００は、メモリ１２３２に記憶されたシステム、例えばＷｉｎｄｏｗｓ  Ｓｅｒｖｅｒ（登録商標）、Ｍａｃ  ＯＳ  Ｘ（登録商標）、Ｕｎｉｘ（登録商標）、  Ｌｉｎｕｘ（登録商標）、ＦｒｅｅＢＳＤ（登録商標）などのオペレーティングシステムに基づいて操作を行うことができる。
【０１４２】
当業者であれば、本願明細書を参照し、本願明細書に開示された発明を実施することにより、本発明の他の実施形態を容易に取得することができる。本願は、本発明の一般的な原理を遵守し且つ本願明細書に開示されていない当該技術分野の公知知識又は通常の技術手段を含む本発明に対する任意の変形、用途又は適応的な変更を含むことを趣旨とする。明細書及び実施例は、単に例示的なものに過ぎず、本発明の本当の範囲及び趣旨は添付される特許請求の範囲により示される。
【０１４３】
なお、本発明は、上述の説明及び図面により示された特定の構成に限定されず、その範囲を離脱しない範囲で、様々な補正及び変更を実施してもよい。本発明の範囲は、添付される特許請求の範囲のみにより限定される。
【図１】
0006286105.tif 000002
【図２】
0006286105.tif 000003
【図３】
0006286105.tif 000004
【図４】
0006286105.tif 000005
【図５】
0006286105.tif 000006
【図６】
0006286105.tif 000007
【図７】
0006286105.tif 000008
【図８】
0006286105.tif 000009
【図９】
0006286105.tif 000010
【図１０】
0006286105.tif 000011
【図１１】
0006286105.tif 000012
【図１２】
0006286105.tif 000013